(57)【要約】【課題】例えばフルキーボードを備え、メールやインターネットへのアクセスなど、ＰＤＡ(Personal Digital Assistant)的な使い方が行える携帯型電子機器であり、２つの表示部を必要とすることなく、良好な携帯性能と操作性能を維持し、コストを削減する。【解決手段】下段テンキーケース１１′と中段フルキーケース１２′と上段表示部ケース１３′との３段重ねのケース構造とし、下段テンキーケース１１′を上中段ケース１２′，１３′の長手下方向にスライドさせることで電話／データ入力共用テンキー１４′を縦置きキーキャラクタ表示で露出させた通話スタイルとし、上段表示部ケース１３′を中段フルキーケース１２′上でその長辺中央位置を回転軸Ｏ２にして平面旋回させることでフルキーボード２１を露出させると共に表示部１６を並列に配し且つまた前記電話／データ入力共用テンキー１４′を横置きキーキャラクタ表示としたキーボードスタイルとする。【選択図】      図６Ｂ
2007179525.tif 000002
【特許請求の範囲】
【請求項１】
表面に表示画面を有する上段の表示部ケースと、表面にキーボードを有する中段のキーボードケースと、表面一端にダイヤルキーを有する下段のダイヤルキーケースとを３段重ねにしたケース構造の携帯型電子機器であって、
前記上段の表示部ケースは前記中段のキーボードケースの長辺側の中央位置を軸にして平面旋回回動することで、当該キーボードケース表面のキーボードを露出させると共に、この露出したキーボードに並べて表示画面を配置させ、
前記下段のダイヤルキーケースは前記中段のキーボードケースに対しその一端方向にスライドすることで、当該キーケース表面一端のダイヤルキーを露出させる、
構造としたことを特徴とする携帯型電子機器。
【請求項２】
前記ダイヤルキーケース表面のダイヤルキーは、前記各ケースを重ねてその表示部ケースを正立させ当該ダイヤルキーケースを下方向にスライドした際に露出するダイヤルキーケース表面の一端に設けられる、
ことを特徴とする請求項１に記載の携帯型電子機器。
【請求項３】
表面に表示画面を有する上段の表示部ケースと、表面にキーボードを有する中段のキーボードケースと、表面の一端にダイヤルキーを他端にテンキーを有する下段のキーケースとを３段重ねにしたケース構造の携帯型電子機器であって、
前記上段の表示部ケースは前記中段のキーボードケースの長辺側の中央位置を軸にして平面旋回回動することで、当該キーボードケース表面のキーボードを露出させると共に、この露出したキーボードに並べて表示画面を配置させ、
前記下段のキーケースは前記中段のキーボードケースに対し、その一端方向にスライドすることで当該キーケース表面一端のダイヤルキーを露出させ、その他端方向にスライドすることで当該キーケース表面他端のテンキーを露出させる、
構造としたことを特徴とする携帯型電子機器。
【請求項４】
前記キーケース表面のダイヤルキーは、前記各ケースを重ねてその表示部ケースを正立させ当該キーケースを下方向にスライドした際に露出するキーケース表面の一端に設けられ、同キーケース表面のテンキーは、前記表示部ケースを前記キーボードケース上で平面旋回回動しキーボードを下側に表示画面を上側に並べて配置させ当該キーケースを右方向にスライドした際に露出するキーケース表面の他端に設けられる、
ことを特徴とする請求項３に記載の携帯型電子機器。
【請求項５】
表面に表示画面を有する上段の表示部ケースと、表面にキーボードを有する中段のキーボードケースと、表面一端にダイヤルキー／テンキーの共用キーを有する下段の共用キーケースとを３段重ねにしたケース構造の携帯型電子機器であって、
前記上段の表示部ケースは前記中段のキーボードケースの長辺側の中央位置を軸にして平面旋回回動することで、当該キーボードケース表面のキーボードを露出させると共に、この露出したキーボードに並べて表示画面を配置させ、
前記下段の共用キーケースは前記中段のキーボードケースに対しその一端方向にスライドすることで、当該キーケース表面一端の共用キーを露出させる構造とし、
前記共用キーをダイヤルキーのモードとテンキーのモードとで切り替えるキーモード切り替え手段を備えたことを特徴とする携帯型電子機器。
【請求項６】
前記表示部ケースの表面の長手方向一端側または他端側に設けられるカーソルキーを備え、
この表示部ケースのカーソルキーは、当該表示部ケースを前記キーボードケース上で平面旋回回動しキーボードを下側に表示画面を上側に並べて配置させた際に、表示部ケース表面の右端となる一端側または他端側に設けたことを特徴とする請求項１ないし請求項５の何れか１項に記載の携帯型電子機器。
【請求項７】
表面に表示画面を有する上段の表示部ケースと、表面一端にダイヤルキーを有する中段のダイヤルキーケースと、表面にキーボードを有する下段のキーボードケースとを３段重ねにしたケース構造の携帯型電子機器であって、
前記上段の表示部ケースは前記中段のダイヤルキーケースと共に前記下段のキーボードケースの長辺側の中央位置を軸にして平面旋回回動することで、当該キーボードケース表面のキーボードを露出させると共に、この露出したキーボードに並べて表示画面を配置させ、
前記中段のダイヤルキーケースは前記下段のキーボードケースと共にその一端方向にスライドすることで、当該キーケース表面一端のダイヤルキーを露出させる、
構造としたことを特徴とする携帯型電子機器。
【請求項８】
表面に表示画面を有する上段の表示部ケースと、表面の一端にダイヤルキーを他端にテンキーを有する中段のキーケースと、表面にキーボードを有する下段のキーボードケースとを３段重ねにしたケース構造の携帯型電子機器であって、
前記上段の表示部ケースは前記中段のキーケースと共に前記下段のキーボードケースの長辺側の中央位置を軸にして平面旋回回動することで、当該キーボードケース表面のキーボードを露出させると共に、この露出したキーボードに並べて表示画面を配置させ、
前記中段のキーケースは、その一端方向にスライドすることで当該キーケース表面一端のダイヤルキーを露出させ、その他端方向にスライドすることで当該キーケース表面他端のテンキーを露出させる、
構造としたことを特徴とする携帯型電子機器。
【請求項９】
表面に表示画面を有する上段の表示部ケースと、表面一端にダイヤルキー／テンキーの共用キーを有する中段の共用キーケースと、表面にキーボードを有する下段のキーボードケースとを３段重ねにしたケース構造の携帯型電子機器であって、
前記上段の表示部ケースは前記中段の共用キーケースと共に前記下段のキーボードケースの長辺側の中央位置を軸にして平面旋回回動することで、当該キーボードケース表面のキーボードを露出させると共に、この露出したキーボードに並べて表示画面を配置させ、
前記中段の共用キーケースはその一端方向にスライドすることで、当該キーケース表面一端の共用キーを露出させる構造とし、
前記共用キーをダイヤルキーのモードとテンキーのモードとで切り替えるキーモード切り替え手段を備えたことを特徴とする携帯型電子機器。
【発明の詳細な説明】
【技術分野】
【０００１】
本発明は、例えばフルキーボードを備え、メールやインターネットへのアクセスなど、ＰＤＡ(Personal Digital Assistant)的な使い方が行える携帯型電子機器に関する。
【背景技術】
【０００２】
近年、携帯電話は、音声で通話する以外に、Ｅ−ｍａｉｌやインターネットへのアクセス、文書作成など、様々な用途で使用されている。
【０００３】
しかし従来の携帯電話は、基本的にテンキーしか備えず、数字以外の文字入力に際しては文字めくり方式による入力が一般的であるため、その文字入力作業が非常に面倒で時間の掛かるものとなっている。
【０００４】
このため、パーソナルコンピュータと同様に、文字入力用のフルキーボードを搭載した機種やテンキーとフルキーボードの両方を搭載した機種も開発されている（例えば、非特許文献１参照。）。
【０００５】
図８は、テンキーとフルキーボードの両方を搭載した従来の携帯電話の外観構成を示す図である。
【０００６】
図８の（Ａ１）は通話使用形態での外観正面図、図８の（Ａ２）は同通話使用形態での外観下面図、図８の（Ｂ１）はフルキーボード使用形態での縦置きの外観正面図、図８の（Ｂ２）は同フルキーボード使用形態での縦置きの外観下面図である。
【０００７】
このテンキーとフルキーボードの両方を搭載した従来の携帯電話１は、主要な電子回路（図示せず）がその内部に設けられた平面長方形の端末本体２と、この端末本体２の長辺に設けたヒンジ４を介して開閉可能なカバー部３とを筐体として備える。
【０００８】
図８の（Ａ１）（Ａ２）に示すように、携帯電話１の閉状態（通話使用形態）での正面となるカバー部３には、その下方領域に片手で操作可能な電話用テンキー５、上方領域に外部表示部６が設けられ、下端部にはマイク７、上端部にはスピーカ８が設けられる。
【０００９】
また、図８の（Ｂ１）（Ｂ２）に示すように、携帯電話１の開状態（フルキーボード使用形態）での正面となる端末本体２には、両手で操作可能なフルキーボード９が設けられ、また、カバー部３の側には、その平面長方形の全面を使用した大型表示部１０が設けられる。
【００１０】
この大型表示部１０は、ヒンジ４を介してカバー部３を開いた際にユーザの正面になる、つまり、カバー部３の裏面側に支持されて設けられるもので、この携帯電話１を当該フルキーボード使用形態のまま横置きにして操作することで、両手による文字キー入力操作が可能であると共に、横長になる大型表示部１０によってメール画面やインターネットＨＰ画面を容易且つ見易く表示させることができる。
【非特許文献１】太田亮三、“ノキア、フルキーボードを搭載したスマートフォン「Nokia 9300」”、[online]、2004/09/09、ケータイWatch編集部、[2005/11/24検索]、<URL:http://k-tai.impress.co.jp/cda/article/news_toppage/20503.html>
【発明の開示】
【発明が解決しようとする課題】
【００１１】
このように、テンキーとフルキーボードの両方を搭載した従来の携帯電話１では、電話用テンキー５およびその上方領域にある外部表示部６以外に、フルキーボード９およびその対称領域にある大型表示部１０を備えているので、Ｅ−ｍａｉｌやインターネットへのアクセス、文書作成などを容易に行うことができる利点があるが、外部表示部６と大型表示部１０との２つの表示部を必要とするため、生産コストの大幅な増加を招く問題がある。
【００１２】
本発明は、このような課題に鑑みなされたもので、２つの表示部を必要とすることなく、良好な携帯性能と操作性能を維持し、コストを削減することが可能になる携帯型電子機器を提供することを目的とする。
【課題を解決するための手段】
【００１３】
請求項１に記載の携帯型電子機器は、表面に表示画面を有する上段の表示部ケースと、表面にキーボードを有する中段のキーボードケースと、表面一端にダイヤルキーを有する下段のダイヤルキーケースとを３段重ねにしたケース構造の携帯型電子機器であって、
前記上段の表示部ケースは前記中段のキーボードケースの長辺側の中央位置を軸にして平面旋回回動することで、当該キーボードケース表面のキーボードを露出させると共に、この露出したキーボードに並べて表示画面を配置させ、前記下段のダイヤルキーケースは前記中段のキーボードケースに対しその一端方向にスライドすることで、当該キーケース表面一端のダイヤルキーを露出させる、構造としたことを特徴としている。
【００１４】
請求項２に記載の携帯型電子機器は、前記請求項１に記載の携帯型電子機器において、前記ダイヤルキーケース表面のダイヤルキーは、前記各ケースを重ねてその表示部ケースを正立させ当該ダイヤルキーケースを下方向にスライドした際に露出するダイヤルキーケース表面の一端に設けられる、ことを特徴としている。
【００１５】
請求項３に記載の携帯型電子機器は、表面に表示画面を有する上段の表示部ケースと、表面にキーボードを有する中段のキーボードケースと、表面の一端にダイヤルキーを他端にテンキーを有する下段のキーケースとを３段重ねにしたケース構造の携帯型電子機器であって、
前記上段の表示部ケースは前記中段のキーボードケースの長辺側の中央位置を軸にして平面旋回回動することで、当該キーボードケース表面のキーボードを露出させると共に、この露出したキーボードに並べて表示画面を配置させ、前記下段のキーケースは前記中段のキーボードケースに対し、その一端方向にスライドすることで当該キーケース表面一端のダイヤルキーを露出させ、その他端方向にスライドすることで当該キーケース表面他端のテンキーを露出させる、構造としたことを特徴としている。
【００１６】
請求項４に記載の携帯型電子機器は、前記請求項３に記載の携帯型電子機器において、前記キーケース表面のダイヤルキーは、前記各ケースを重ねてその表示部ケースを正立させ当該キーケースを下方向にスライドした際に露出するキーケース表面の一端に設けられ、同キーケース表面のテンキーは、前記表示部ケースを前記キーボードケース上で平面旋回回動しキーボードを下側に表示画面を上側に並べて配置させ当該キーケースを右方向にスライドした際に露出するキーケース表面の他端に設けられる、ことを特徴としている。
【００１７】
請求項５に記載の携帯型電子機器は、表面に表示画面を有する上段の表示部ケースと、表面にキーボードを有する中段のキーボードケースと、表面一端にダイヤルキー／テンキーの共用キーを有する下段の共用キーケースとを３段重ねにしたケース構造の携帯型電子機器であって、
前記上段の表示部ケースは前記中段のキーボードケースの長辺側の中央位置を軸にして平面旋回回動することで、当該キーボードケース表面のキーボードを露出させると共に、この露出したキーボードに並べて表示画面を配置させ、前記下段の共用キーケースは前記中段のキーボードケースに対しその一端方向にスライドすることで、当該キーケース表面一端の共用キーを露出させる構造とし、前記共用キーをダイヤルキーのモードとテンキーのモードとで切り替えるキーモード切り替え手段を備えたことを特徴としている。
【００１８】
請求項６に記載の携帯型電子機器は、前記請求項１ないし請求項５の何れか１項に記載の携帯型電子機器において、前記表示部ケースの表面の長手方向一端側または他端側に設けられるカーソルキーを備え、この表示部ケースのカーソルキーは、当該表示部ケースを前記キーボードケース上で平面旋回回動しキーボードを下側に表示画面を上側に並べて配置させた際に、表示部ケース表面の右端となる一端側または他端側に設けたことを特徴としている。
【００１９】
請求項７に記載の携帯型電子機器は、表面に表示画面を有する上段の表示部ケースと、表面一端にダイヤルキーを有する中段のダイヤルキーケースと、表面にキーボードを有する下段のキーボードケースとを３段重ねにしたケース構造の携帯型電子機器であって、
前記上段の表示部ケースは前記中段のダイヤルキーケースと共に前記下段のキーボードケースの長辺側の中央位置を軸にして平面旋回回動することで、当該キーボードケース表面のキーボードを露出させると共に、この露出したキーボードに並べて表示画面を配置させ、前記中段のダイヤルキーケースは前記下段のキーボードケースと共にその一端方向にスライドすることで、当該キーケース表面一端のダイヤルキーを露出させる、構造としたことを特徴としている。
【００２０】
請求項８に記載の携帯型電子機器は、表面に表示画面を有する上段の表示部ケースと、表面の一端にダイヤルキーを他端にテンキーを有する中段のキーケースと、表面にキーボードを有する下段のキーボードケースとを３段重ねにしたケース構造の携帯型電子機器であって、
前記上段の表示部ケースは前記中段のキーケースと共に前記下段のキーボードケースの長辺側の中央位置を軸にして平面旋回回動することで、当該キーボードケース表面のキーボードを露出させると共に、この露出したキーボードに並べて表示画面を配置させ、前記中段のキーケースは、その一端方向にスライドすることで当該キーケース表面一端のダイヤルキーを露出させ、その他端方向にスライドすることで当該キーケース表面他端のテンキーを露出させる、構造としたことを特徴としている。
【００２１】
請求項９に記載の携帯型電子機器は、表面に表示画面を有する上段の表示部ケースと、表面一端にダイヤルキー／テンキーの共用キーを有する中段の共用キーケースと、表面にキーボードを有する下段のキーボードケースとを３段重ねにしたケース構造の携帯型電子機器であって、
前記上段の表示部ケースは前記中段の共用キーケースと共に前記下段のキーボードケースの長辺側の中央位置を軸にして平面旋回回動することで、当該キーボードケース表面のキーボードを露出させると共に、この露出したキーボードに並べて表示画面を配置させ、前記中段の共用キーケースはその一端方向にスライドすることで、当該キーケース表面一端の共用キーを露出させる構造とし、前記共用キーをダイヤルキーのモードとテンキーのモードとで切り替えるキーモード切り替え手段を備えたことを特徴としている。
【発明の効果】
【００２２】
本発明の請求項１に記載の携帯型電子機器によれば、下段のダイヤルキーケースを中段のキーボードケースに対しその一端方向にスライドさせることで、当該キーケース表面一端のダイヤルキーを上段の表示部ケース上の表示画面と一連にして露出させ、例えば通話スタイルとすることができる。また、上段の表示部ケースを中段のキーボードケースの長辺側の中央位置を軸にして平面旋回回動することで、当該キーボードケース表面のキーボードを露出させると共に、この露出したキーボードに並べて表示画面を配置させ、例えばフルキーボードによるデータ入力スタイルとすることができる。
【００２３】
本発明の請求項２に記載の携帯型電子機器によれば、前記請求項１に記載の携帯型電子機器において、ダイヤルキーケース表面のダイヤルキーを、各ケースを重ねてその表示部ケースを正立させ当該ダイヤルキーケースを下方向にスライドした際に露出するダイヤルキーケース表面の一端に設けたので、上段の表示部ケース上の表示画面が上部にダイヤルキーケースのダイヤルキーがその下部に一連に露出して配置される、例えば通話スタイルとすることができる。
【００２４】
本発明の請求項３に記載の携帯型電子機器によれば、下段のキーケースを中段のキーボードケースに対しその一端方向にスライドさせることで、当該キーケース表面一端のダイヤルキーを上段の表示部ケース上の表示画面と一連にして露出させ、例えば通話スタイルとすることができる。また、上段の表示部ケースを中段のキーボードケースの長辺側の中央位置を軸にして平面旋回回動することで、当該キーボードケース表面のキーボードを露出させると共に、この露出したキーボードに並べて表示画面を配置させ、これに伴い下段のキーケースを中段のキーボードケースに対しその他端方向にスライドさせることで、当該キーケース表面他端のテンキーをキーボードに並べて露出させ、例えば独立テンキー付きのフルキーボードによるデータ入力スタイルとすることができる。
【００２５】
本発明の請求項４に記載の携帯型電子機器によれば、前記請求項３に記載の携帯型電子機器において、キーケース表面のダイヤルキーを、各ケースを重ねてその表示部ケースを正立させ当該キーケースを下方向にスライドした際に露出するキーケース表面の一端に設けたので、上段の表示部ケース上の表示画面が上部にキーケースのダイヤルキーがその下部に一連に露出して配置される、例えば通話スタイルとすることができる。また、同キーケース表面のテンキーを、表示部ケースをキーボードケース上で平面旋回回動しキーボードを下側に表示画面を上側に並べて配置させ当該キーケースを右方向にスライドした際に露出するキーケース表面の他端に設けたので、例えばフルキーボードの右側に独立したテンキーを配したデータ入力スタイルとすることができる。
【００２６】
本発明の請求項５に記載の携帯型電子機器によれば、下段の共用キーケースを中段のキーボードケースに対しその一端方向にスライドさせダイヤルキーのモードに切り替えることで、当該キーケース表面一端の共用キーをダイヤルキーとして上段の表示部ケース上の表示画面と一連にして露出させ、例えば通話スタイルとすることができる。また、上段の表示部ケースを中段のキーボードケースの長辺側の中央位置を軸にして平面旋回回動することで、当該キーボードケース表面のキーボードを露出させると共に、この露出したキーボードに並べて表示画面を配置させ、これに伴い下段の共用キーケースを中段のキーボードケースに対しその一端方向にスライドさせテンキーのモードに切り替えることで、例えば独立テンキー付きのフルキーボードによるデータ入力スタイルとすることができる。
【００２７】
本発明の請求項６に記載の携帯型電子機器によれば、前記請求項１ないし請求項５の何れか１項に記載の携帯型電子機器において、表示部ケースの表面の長手方向一端側または他端側に設けられるカーソルキーを、当該表示部ケースをキーボードケース上で平面旋回回動しキーボードを下側に表示画面を上側に並べて配置させた際に、表示部ケース表面の右端となる一端側または他端側に設けたので、例えばフルキーボードによるデータ入力スタイルでカーソルキーによるポインタ操作を右手で容易に行うことができる。
【００２８】
本発明の請求項７に記載の携帯型電子機器によれば、中段のダイヤルキーケースを下段のキーボードケースと共にその一端方向にスライドさせることで、当該キーケース表面一端のダイヤルキーを上段の表示部ケース上の表示画面と一連にして露出させ、例えば通話スタイルとすることができる。また、上段の表示部ケースを中段のダイヤルキーケースと共に下段のキーボードケースの長辺側の中央位置を軸にして平面旋回回動することで、当該キーボードケース表面のキーボードを露出させると共に、この露出したキーボードに並べて表示画面を配置させ、例えばフルキーボードによるデータ入力スタイルとすることができる。
【００２９】
本発明の請求項８に記載の携帯型電子機器によれば、中段のキーケースを下段のキーボードケースと共にその一端方向にスライドさせることで、当該キーケース表面一端のダイヤルキーを上段の表示部ケース上の表示画面と一連にして露出させ、例えば通話スタイルとすることができる。また、上段の表示部ケースを中段のキーケースと共に下段のキーボードケースの長辺側の中央位置を軸にして平面旋回回動することで、当該キーボードケース表面のキーボードを露出させると共に、この露出したキーボードに並べて表示画面を配置させ、これに伴い中段のキーケースをその他端方向にスライドさせることで、当該キーケース表面他端のテンキーを表示画面およびキーボードに並べて露出させ、例えば独立テンキー付きのフルキーボードによるデータ入力スタイルとすることができる。
【００３０】
本発明の請求項９に記載の携帯型電子機器によれば、中段の共用キーケースを下段のキーボードケースと共にその一端方向にスライドさせダイヤルキーのモードに切り替えることで、当該キーケース表面一端の共用キーをダイヤルキーとして上段の表示部ケース上の表示画面と一連にして露出させ、例えば通話スタイルとすることができる。また、上段の表示部ケースを中段の共用キーケースと共に下段のキーボードケースの長辺側の中央位置を軸にして平面旋回回動することで、当該キーボードケース表面のキーボードを露出させると共に、この露出したキーボードに並べて表示画面を配置させ、これに伴い中段の共用キーケースをその一端方向にスライドさせテンキーのモードに切り替えることで、例えば独立テンキー付きのフルキーボードによるデータ入力スタイルとすることができる。
【００３１】
よって本発明によれば、２つの表示部を必要とすることなく、良好な携帯性能と操作性能を維持し、コストを削減することが可能になる携帯型電子機器を提供できる。
【発明を実施するための最良の形態】
【００３２】
以下図面により本発明の実施の形態について説明する。
【００３３】
（第１実施形態）
図１Ａは、本発明の携帯型電子機器の第１実施形態に係る携帯電話のコンパクトスタイルでの外観構成を示す図である。
【００３４】
図１Ａの（Ａ１）は携帯電話のコンパクトスタイルでの外観正面図、図１Ａの（Ａ２）は携帯電話のコンパクトスタイルでの外観側面図である。
【００３５】
図１Ｂは、本発明の携帯型電子機器の第１実施形態に係る携帯電話の通話スタイルでの外観構成を示す斜視図である。
【００３６】
この携帯電話は、例えば縦１３０ｍｍ×横５０ｍｍ程度の平面長方形のテンキーケース１１を最下段にして、平面的に同一外形寸法のフルキーケース１２を中段、表示部ケース１３を上段に配置して重ね合わせた３段重ねのケース構造を有する。
【００３７】
最下段のテンキーケース１１は、中上段のフルキーケース１２および表示部ケース１３に対して、図１Ｂの矢印Ｘ１で示すように、下方向に所定の長さでスライド可能に取り付けられており、この所定長さのスライドによって露出する当該テンキーケース１１の正面下部の領域に電話用テンキー（ダイヤルキー）１４が設けられ、さらにその下端位置中央にマイク１５が設けられる。
【００３８】
最上段の表示部ケース１３には、その正面の略全領域を画面サイズとした液晶表示部１６が設けられ、上端位置中央にスピーカ１７が、下端位置左右に電話用のオンフックキーやオフフックキーなどとして機能する第１，第２のキー１８，１９が、下端位置中央に項目選択キーや決定キーなどとして機能するカーソルキー２０が設けられる。
【００３９】
すなわち、図１Ａの（Ａ１）（Ａ２）で示すコンパクトスタイルでは、第１，第２のキー１８，１９およびカーソルキー２０を使用して表示部１６による画像表示の操作を行うことができ、また電話の着信があった際には各キー１８〜２０の何れかを操作して着呼動作させ、下端中央位置に隠れたテンキーケース１１上のマイク１５と表示部ケース１３上端位置のスピーカ１７を使用して通話を行うことができる。
【００４０】
そして、図１Ｂで示したように、テンキーケース１１を下方向にスライドさせて電話用テンキー１４およびマイク１５を露出させた通話スタイルでは、当該電話用テンキー１４を使用してダイヤル発呼操作し、マイク１５とスピーカ１７を使用して電話を掛けることができる。
【００４１】
図２Ａは、本発明の携帯型電子機器の第１実施形態に係る携帯電話のキーボードスタイルへの変更に伴う中段フルキーケース１２上での上段表示部ケース１３の回転操作状態を説明する外観斜視図である。
【００４２】
図２Ｂは、本発明の携帯型電子機器の第１実施形態に係る携帯電話のキーボードスタイルでの外観構成を示す斜視図である。
【００４３】
前記上段の表示部ケース１３は、例えば図１Ａの（Ａ１）（Ａ２）で示したコンパクトスタイルにおいて、その正面左端の中央位置を回転軸Ｏ１として、図２Ａの矢印Ｙ１で示すように、時計回りに１８０度平面旋回可能に取り付けられており、図２Ｂに示すように、１８０度完全に旋回させて中段のフルキーケース１２と並列に位置させた、横長にして用いるキーボードスタイルにして、当該フルキーケース１２の正面全域を使用して設けられたフルキーボード２１が露出する構造とされる。
【００４４】
そして、このフルキーケース１２上のフルキーボード２１に表示部ケース１３上の液晶表示部１６を並列に位置させたキーボードスタイルでは、当該表示部ケース１３の各キー１８〜２０およびフルキーボード２１および液晶表示部１６を使用して、両手操作で容易にＥ−ｍａｉｌの作成・送受信やＷｅｂページの閲覧などを行うことができる。
【００４５】
この際、表示部ケース１３に設けられた第１，第２のキー１８，１９およびカーソルキー２０がケース全体の右側に位置することになるので、Ｗｅｂページ上のバナー指示操作などを非常に操作性良く行うことができる。
【００４６】
なお、フルキーケース１２において、フルキーボード２１の各キーが配列される正面領域は、当該各キーのキーストローク幅に応じその外周縁部のみ残して窪んだ構造とされ、前記図１Ａの（Ａ１）（Ａ２）で示したコンパクトスタイルや図１Ｂで示した通話スタイルにおいて、上段表示部ケース１３の裏面側が対面するフルキーボード２１の各キーに接触しない構造とされる。
【００４７】
図３は、本発明の携帯型電子機器の第１実施形態に係る携帯電話のテンキーケース１１とフルキーケース１２と表示部ケース１３間の３段重ね組み立て構造を示す展開斜視図である。
【００４８】
テンキーケース１１は、電話用テンキー１４の配設された上蓋部１１ａで本体部１１ｂを被って構成される。
【００４９】
テンキーケース１１の上蓋部１１ａには、その上端から電話用テンキー１４が設けられる位置までの約３分の２の領域において、その長手方向の両側に沿った矩形スライド孔２２ａ，２２ｂが形成される。この矩形スライド孔２２ａ，２２ｂをそれぞれ通して上蓋部１１ａの裏側から各スライド補助留め具２３ａ，２３ｂにより前記フルキーケース１２の裏面を係止支持する。これにより、最下段のテンキーケース１１を、中上段のフルキーケース１２および表示部ケース１３に対して、矢印Ｘ１で示す下方向に所定の長さでスライド可能に取り付ける。
【００５０】
フルキーケース１２に設けられたフルキーボード２１のキー操作に伴う信号は、当該フルキーケース１２の裏面から導出されるフレキシブルケーブル２４を介してテンキーケース１１側へ送出され、当該テンキーケース１１の上蓋部１１ａの上端に形成されたケーブル孔２５を通して内部の電子回路２６に接続される。
【００５１】
さらに、フルキーケース１２上において、表示部ケース１３を矢印Ｙで示す方向に平面旋回可能に取り付ける回転軸Ｏ１は、中空円筒形状にして構成される。表示部ケース１３の裏面から導出される表示部用ケーブル２８は、前記回転軸Ｏ１の中空部を通してフルキーケース１２の内部に取り込まれた後、前記フレキシブルケーブル２４によって前記テンキーケース１１内の電子回路２６に接続される。
【００５２】
また、前記フルキーケース１２上の回転軸Ｏ１を挟んだ両側のケース表面には、回転ラッチ２７ａ，２７ｂが設けられる。そして、このフルキーケース１２上での表示部ケース１３の矢印Ｙで示す方向の平面旋回位置は、当該表示部ケース１３の裏面に接触干渉する前記回転ラッチ２７ａ，２７ｂによってその適宜な位置で半固定状態に維持される。
【００５３】
このようなテンキーケース１１とフルキーケース１２と表示部ケース１３間の３段重ねの組み立て構造とすることで、各ケース１１，１２，１３相互に可動可能で、且つ信号接続された状態を得ることができる。
【００５４】
したがって、前記構成の第１実施形態の携帯電話によれば、下段のテンキーケース１１と中段のフルキーケース１２と上段の表示部ケース１３との３段重ねのケース構造とし、下段テンキーケース１１を上中段ケース１２，１３の長手下方向にスライドさせることで電話用テンキー１４を正面に露出させた通話スタイルとする構造とした。また、上段表示部ケース１３を中段フルキーケース１２上でその長辺中央位置を回転軸Ｏ１にして平面旋回させることでフルキーボード２１を正面に露出させると共に液晶表示部１６を並列に配したキーボードスタイルとする構造とした。このため、最大サイズが制限される携帯電話にあっても、携帯性を損なうことなく、略その正面側全域を表示画面とした大きな液晶表示部１６として、通話利用、メール利用、Ｗｅｂアクセス利用などのあらゆる利用場面にて操作性を向上することができる。しかも、１つの大きな液晶表示部１６を通話スタイルとキーボードスタイルとで操作性良く共用できる。このため、通話用表示部とフルキーボード用表示部との２つの専用表示部を必要とした従来の携帯電話に較べ、大幅にコストを削減することができる。
【００５５】
（第２実施形態）
図４は、本発明の携帯型電子機器の第２実施形態に係る携帯電話の外観構成を示す図である。
【００５６】
この第２実施形態の携帯電話では、最下段のテンキーケース１１を、中上段のフルキーケース１２および表示部ケース１３に対して、図１Ｂの矢印Ｘ１で示したように、下方向に所定の長さでスライド可能とするだけでなく、図４の矢印Ｘ２に示すように、逆方向である上方向にも所定の長さでスライド可能に取り付ける。
【００５７】
そして、所定長さのスライド（Ｘ２）によって露出する当該テンキーケース１１の正面上部の領域には、同正面下部の領域に設けた縦置きにして使用する電話用テンキー１４とは別に、横置きにして使用するデータ入力用テンキー１４Ｄを設ける。
【００５８】
したがって、前記構成の第２実施形態の携帯電話によれば、通話スタイルにおいてテンキーケース１１をその下方向にスライドさせて縦置き使用する電話用テンキー１４だけでなく、キーボードスタイルにおいて同テンキーケース１１を逆方向にスライドさせてフルキーボード２１の右側に出して横置き使用するデータ入力用テンキー１４Ｄを設けて構成した。このため、例えばデスクトップ型パーソナルコンピュータと同様にフルキーボード２１の右側で独立したテンキー入力操作を行うことができ、前記第１実施形態と同様に携帯性を損なうことなく、特に、Ｅ−ｍａｉｌの作成・送受信やＷｅｂページの閲覧などを行うキーボードスタイルでの操作性をより向上することができる。
【００５９】
なお、この図４における第２実施形態の携帯電話では、テンキーケース１１正面の一端側に縦置きの電話用テンキー１４と他端側に横置きのデータ入力用テンキー１４Ｄとを設け、２つの専用テンキーを設ける構成としたが、次の第３実施形態の携帯電話において説明するように、通話スタイルとキーボードスタイルとで操作性を損なうことなく共用可能な電話／データ入力共用テンキー１４′を設け、独立した２つもの専用テンキーを必要としない構成としてもよい。
【００６０】
（第３実施形態）
図５Ａは、本発明の携帯型電子機器の第３実施形態に係る携帯電話の外観構成を示す図である。
【００６１】
図５Ａの（Ａ１）は携帯電話のコンパクトスタイルでの外観正面図、図５Ａの（Ａ２）は携帯電話のコンパクトスタイルでの外観側面図である。
【００６２】
図５Ｂは、本発明の携帯型電子機器の第３実施形態に係る携帯電話の通話スタイルでの外観構成を示す斜視図である。
【００６３】
図６Ａは、本発明の携帯型電子機器の第３実施形態に係る携帯電話のキーボードスタイルへの変更に伴う中段フルキーケース１２′上での上段表示部ケース１３′の回転操作状態を説明する外観斜視図である。
【００６４】
図６Ｂは、本発明の携帯型電子機器の第３実施形態に係る携帯電話のキーボードスタイルでの外観構成を示す斜視図である。
【００６５】
この第３実施形態の携帯電話では、前記第１実施形態の携帯電話と同様に、平面長方形のテンキーケース１１′を最下段にして、同一外径のフルキーケース１２′を中段、表示部ケース１３′を上段に配置して重ね合わせた３段重ねのケース構造を有する。
【００６６】
そして、最下段のテンキーケース１１′には、中上段のフルキーケース１２′および表示部ケース１３′に対して、図５Ｂの矢印Ｘ１で示すように、下方向に所定の長さでスライドさせた際に露出する電話／データ入力共用テンキー１４′が設けられる。
【００６７】
この電話／データ入力共用テンキー１４′は、図５Ｂで示す縦置き使用時の通話スタイルの形態がスイッチなどにより検出された場合に電話入力モード１４′Ｔに切り替えられて各キーキャラクタの表示が設定され、また、図６Ｂで示す横置き使用時のキーボードスタイルの形態がスイッチなどにより検出された場合にデータ入力モード１４′Ｄに切り替えられて各キーキャラクタの表示が設定される。
【００６８】
図７Ａは、前記第３実施形態の携帯電話の電話／データ入力共用テンキー１４′における電話入力モード１４′Ｔでの各キーキャラクタの表示設定パターンを示す図である。
【００６９】
図７Ｂは、前記第３実施形態の携帯電話の電話／データ入力共用テンキー１４′におけるデータ入力モード１４′Ｄでの各キーキャラクタの表示設定パターンを示す図である。
【００７０】
すなわち、電話／データ入力共用テンキー１４′は、図５Ｂで示す縦置き使用時の通話スタイルの形態がスイッチなどにより検出された場合には、図７Ａに示すような電話入力モード１４′Ｔのキーキャラクタ表示に切り替え設定されることで、各キーキャラクタが縦置きで正立して見える電話用テンキーとして機能する。また、図６Ｂで示す横置き使用時のキーボードスタイルの形態がスイッチなどにより検出された場合には、図７Ｂに示すようなデータ入力モード１４′Ｄのキーキャラクタ表示に切り替え設定されることで、各キーキャラクタが横置きで正立して見えるデータ入力用テンキーとして機能する。
【００７１】
一方、この第３実施形態の携帯電話における表示部ケース１３′正面の第１，第２のキー１８，１９およびカーソルキー２０は、当該表示部ケース１３′正面の液晶表示部１６を設けた上端位置に設けられる。
【００７２】
そして、この第３実施形態の携帯電話においても、図５Ａの（Ａ１）（Ａ２）で示すコンパクトスタイルでは、前記第１実施形態と同様に、第１，第２のキー１８，１９およびカーソルキー２０を使用して表示部１６による画像表示の操作を行うことができる。また電話の着信があった際には各キー１８〜２０の何れかを操作して着呼動作させ、下端中央位置に隠れたテンキーケース１１′上のマイク１５と表示部ケース１３′上端位置のスピーカ１７を使用して通話を行うことができる。
【００７３】
そして、図５Ｂで示したように、テンキーケース１１′を下方向にスライドさせて電話／データ入力用テンキー１４′およびマイク１５を露出させた通話スタイルでは、当該電話／データ入力用テンキー１４′を図７Ａで示した電話入力モード１４′Ｄでのキーキャラクタ表示で使用してダイヤル発呼操作し、マイク１５とスピーカ１７を使用して電話を掛けることができる。
【００７４】
さらに、この第３実施形態の携帯電話において、前記上段の表示部ケース１３′は、例えば図５Ａの（Ａ１）（Ａ２）で示したコンパクトスタイルにおいて、その正面右端の中央位置を回転軸Ｏ２として、図６Ａの矢印Ｙ２で示すように、時計回りに１８０度平面旋回可能に取り付けられており、図６Ｂに示すように、１８０度完全に旋回させて中段のフルキーケース１２′と並列に位置させた、横長にして用いるキーボードスタイルにして、当該フルキーケース１２′の正面全域を使用して設けられたフルキーボード２１が露出する構造とされる。
【００７５】
そして、このフルキーケース１２′上のフルキーボード２１に表示部ケース１３′上の液晶表示部１６を並列に位置させたキーボードスタイルでは、当該表示部ケース１３′の各キー１８〜２０およびフルキーボード２１および下段テンキーケース１１′を右へスライドさせて露出させたデータ入力モード１４′Ｄによるキーキャラクタ表示での電話／データ入力用テンキー１４′および液晶表示部１６を使用して、両手操作で容易にＥ−ｍａｉｌの作成・送受信やＷｅｂページの閲覧などを行うことができる。
【００７６】
この際、表示部ケース１３′に設けられた第１，第２のキー１８，１９およびカーソルキー２０がケース全体の右側に位置することになり、しかも電話／データ入力用テンキー１４′によって例えばデスクトップ型パーソナルコンピュータと同様にフルキーボード２１の右側で独立したテンキー入力操作を行うことができるので、メールやＷｅｂページ上でのデータ入力操作やボタン指示操作などを非常に操作性良く速やかに行うことができる。
【００７７】
したがって、前記構成の第３実施形態の携帯電話によれば、下段のテンキーケース１１′と中段のフルキーケース１２′と上段の表示部ケース１３′との３段重ねのケース構造とし、下段テンキーケース１１′を上中段ケース１２′，１３′の長手下方向にスライドさせることで電話／データ入力共用テンキー１４′を縦置きキーキャラクタ表示で正面に露出させた通話スタイルとする構造とした。また、上段表示部ケース１３′を中段フルキーケース１２′上でその長辺中央位置を回転軸Ｏ２にして平面旋回させることでフルキーボード２１を正面に露出させると共に液晶表示部１６を並列に配し且つまた前記電話／データ入力共用テンキー１４′を横置きキーキャラクタ表示としたキーボードスタイルとする構造とした。このため、前記第１実施形態と同様に、最大サイズが制限される携帯電話にあっても、携帯性を損なうことなく、略その正面側全域を表示画面とした大きな液晶表示部１６として、通話利用、メール利用、Ｗｅｂアクセス利用などのあらゆる利用場面にて操作性を向上することができる。しかも、１つの大きな液晶表示部１６を通話スタイルとキーボードスタイルとで操作性良く共用できるので、通話用表示部とフルキーボード用表示部との２つの専用表示部を必要とした従来の携帯電話に較べ、大幅にコストを削減することができる。
【００７８】
さらに、電話／データ入力共用テンキー１４′によって、通話スタイルでは電話用テンキー（１４′Ｔ）、キーボードスタイルではデータ入力用テンキー（１４′Ｄ）として使用することができる。このため、前記第２実施形態の携帯電話のように、独立した２つもの専用テンキーを必要とすることなく、Ｅ−ｍａｉｌの作成・送受信やＷｅｂページの閲覧などを行うキーボードスタイルでの操作性をより向上することができる。
【００７９】
この第３実施形態の携帯電話において、前記電話／データ入力共用テンキー１４′における電話入力モード１４′Ｔでの縦置き対応のキーキャラクタ表示とデータ入力モード１４′Ｄでの横置き対応のキーキャラクタ表示とは、当該共用テンキー１４′自体が表示式のタッチキーとして構成されている場合にはその表示そのものによって切り替え、また押し込みストロークのあるキーとして構成されている場合には、各キートップに電話入力モード１４′Ｔ用の縦置き対応文字とデータ入力モード用の横置き対応文字を設けると共に各文字に内部からの光源を設けて各モードに対応するキーを光らせることで行う構成とする。この表示の切替処理、あるいは光源の切替処理は、表示部ケース１３′の回転を不図示の検出スイッチにて検出することにより、携帯電話の動作を制御する内蔵コンピュータの制御により行われる。
【００８０】
なお、前記各実施形態における携帯電話では、下段を中段のフルキーケース１２に対してスライドするテンキーケース１１、中段をフルキーケース１２、上段を中段のフルキーケース１２に対して平面旋回して回動しフルキーボード２１と並列になる表示部ケース１３の重ね合わせとして構成したが、中段をテンキーケース１１、下段をフルキーケース１２とし、この下段フルキーケース１２に対して上段表示部ケース１３および中段テンキーケース１１が共に平面旋回して回動する構成とし、中段テンキーケース１１が下段フルキーケース１２と共にあるいは独立で上段表示部ケース１３に対してスライドする構成としてもよい。
【００８１】
本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００８２】
【図１Ａ】本発明の携帯型電子機器の第１実施形態に係る携帯電話のコンパクトスタイルでの外観構成を示す図。
【図１Ｂ】本発明の携帯型電子機器の第１実施形態に係る携帯電話の通話スタイルでの外観構成を示す斜視図。
【図２Ａ】本発明の携帯型電子機器の第１実施形態に係る携帯電話のキーボードスタイルへの変更に伴う中段フルキーケース１２上での上段表示部ケース１３の回転操作状態を説明する外観斜視図。
【図２Ｂ】本発明の携帯型電子機器の第１実施形態に係る携帯電話のキーボードスタイルでの外観構成を示す斜視図。
【図３】本発明の携帯型電子機器の第１実施形態に係る携帯電話のテンキーケース１１とフルキーケース１２と表示部ケース１３間の３段重ね組み立て構造を示す展開斜視図。
【図４】本発明の携帯型電子機器の第２実施形態に係る携帯電話の外観構成を示す図。
【図５Ａ】本発明の携帯型電子機器の第３実施形態に係る携帯電話の外観構成を示す図。
【図５Ｂ】本発明の携帯型電子機器の第３実施形態に係る携帯電話の通話スタイルでの外観構成を示す斜視図。
【図６Ａ】本発明の携帯型電子機器の第３実施形態に係る携帯電話のキーボードスタイルへの変更に伴う中段フルキーケース１２′上での上段表示部ケース１３′の回転操作状態を説明する外観斜視図。
【図６Ｂ】本発明の携帯型電子機器の第３実施形態に係る携帯電話のキーボードスタイルでの外観構成を示す斜視図。
【図７Ａ】前記第３実施形態の携帯電話の電話／データ入力共用テンキー１４′における電話入力モード１４′Ｔでの各キーキャラクタの表示設定パターンを示す図。
【図７Ｂ】前記第３実施形態の携帯電話の電話／データ入力共用テンキー１４′におけるデータ入力モード１４′Ｄでの各キーキャラクタの表示設定パターンを示す図。
【図８】テンキーとフルキーボードの両方を搭載した従来の携帯電話の外観構成を示す図。
【符号の説明】
【００８３】
１１  …テンキーケース
１２  …フルキーケース
１３  …表示部ケース
１４  …電話用テンキー
１４Ｄ…データ入力用テンキー
１４′…電話／データ入力共用テンキー
１４′Ｔ…電話入力モードでのテンキーキャラクタ表示
１４′Ｄ…データ入力モードでのテンキーキャラクタ表示
１５  …マイク
１６  …液晶表示部
１７  …スピーカ
１８  …第１のキー
１９  …第２のキー
２０  …カーソルキー
２１  …フルキーボード
２２ａ，２２ｂ…矩形スライド孔
２３ａ，２３ｂ…スライド補助留め具
２４  …フレキシブルケーブル
２５  …ケーブル孔
２６  …電子回路
２７ａ，２７ｂ…回転ラッチ
２８  …表示部用ケーブル
【図１Ａ】
2007179525.tif 000003
【図１Ｂ】
2007179525.tif 000004
【図２Ａ】
2007179525.tif 000005
【図２Ｂ】
2007179525.tif 000006
【図３】
2007179525.tif 000007
【図４】
2007179525.tif 000008
【図５Ａ】
2007179525.tif 000009
【図５Ｂ】
2007179525.tif 000010
【図６Ａ】
2007179525.tif 000011
【図６Ｂ】
2007179525.tif 000012
【図７Ａ】
2007179525.tif 000013
【図７Ｂ】
2007179525.tif 000014
【図８】
2007179525.tif 000015